(57)【要約】【課題】発光装置の前方に配置する透光板にパターンニングを施さずに、透光板を透過する照射光を拡散させて十分な照射範囲が確保できるフラッシュユニットが搭載された携帯電子機器を提供する。【解決手段】回路基板２４上に発光装置となるＬＥＤ２０が固定されており、ＬＥＤ２０の前方には、ＬＥＤ２０が発する照射光を出射するための開口部３ａ，１３ａが第二の筐体３および装飾板１３にそれぞれ設けられている。第二の筐体３に設けられた開口部３ａには、その周縁部に沿ってＬＥＤ２０を囲繞する筒状の遮蔽部２３が第二の筐体３と一体的に形成され、遮蔽部２３の内周面に形成された突条部２３ａと装飾板１３との間に透光板２１が配置されている。また、遮蔽部２３の内方には、柔軟な素材を用いて形成された円筒状の鏡筒２２が突条部２３ａとＬＥＤ２０との間に設置されており、鏡筒２２の内周面にはアルミ２２ａが蒸着されている。【選択図】図３
2007140114.tif 000002
【特許請求の範囲】
【請求項１】
発光装置と当該発光装置の前方に配置される透光板とを備えるフラッシュユニットが筐体内に搭載された携帯電子機器において、
前記透光板から前記発光装置を見て当該発光装置を囲繞する遮蔽部が前記透光板と前記発光装置との間に設けられていることを特徴とする携帯電子機器。
【請求項２】
前記遮蔽部は前記筐体と一体的に形成されていることを特徴とする請求項１に記載の携帯電子機器。
【請求項３】
前記遮蔽部の内方に前記発光装置を囲繞する反射部が設けられていることを特徴とする請求項１または２に記載の携帯電子機器。
【請求項４】
前記反射部は前記遮蔽部の内周面に嵌合する別部材とされていることを特徴とする請求項３に記載の携帯電子機器。
【請求項５】
前記反射部が柔軟な素材で形成されていることを特徴とする請求項４に記載の携帯電子機器。
【請求項６】
前記反射部が円筒状とされていることを特徴とする請求項３乃至５のいずれかに記載の携帯電子機器。
【請求項７】
前記発光装置はＬＥＤであることを特徴とする請求項１乃至６のいずれかに記載の携帯電子機器。
【発明の詳細な説明】
【技術分野】
【０００１】
本発明は、フラッシュユニットが搭載された携帯電子機器に関する。
【背景技術】
【０００２】
従来より、携帯電話機やデジタルカメラなどの携帯電子機器では、撮像時の照度を確保するためにフラッシュユニットが搭載されているものが多い。そして、このようなフラッシュユニットでは、照射光を拡散させるために、発光装置の前方に、レジューム印刷が施された透光板を配置している。しかし、レジューム印刷が施された透光板を使用した場合、照射光の拡散が十分ではなく照射範囲が狭くなるという問題がある。
【０００３】
他方、特許文献１では、発光装置の上方に、発光装置の表面積よりも大きく、かつ多数のドットまたはストライプの印刷が施された透明板を配置した照明装置の発明が開示されている。この発明では、発光装置から発生した光は、その上方の透明板に施された多数のドットまたはストライプの印刷領域に照射され、この照射された光のうち、一部の照射光は多数のドットまたはストライプの印刷間を通って上方に出射し、他の照射光は多数のドットまたはストライプの印刷によって透明板の発光装置に対応する位置よりも外側内部に拡散する。これにより、発光装置に対応する位置および発光装置の外部周辺を明るくすることができる。
【特許文献１】特開平８−１４６１５２号公報
【発明の開示】
【発明が解決しようとする課題】
【０００４】
そこで、フラッシュユニットを構成する透光板に多数のドットまたはストライプの印刷を施すことにより、透光板を透過する照射光を拡散させて十分な照射範囲を確保することが考えられる。しかしながら、照射光の特性に応じて透光板に施すパターンニングを変える必要があり、パターンニングに関する専門技術を必要とするうえ、パターンニングが携帯電子機器の外観に影響を与えるため、デザイン上、好ましくないという問題がある。また、透明板にパターンニングを施すため、フラッシュユニットの内部が透明板を通して見える状態となり、外観的にフラッシュユニットの内部を見せたくないということもある。
【０００５】
本発明は、上述する問題点に鑑みてなされたもので、発光装置の前方に配置する透光板にパターンニングを施さずに、透光板を透過する照射光を拡散させて十分な照射範囲が確保できるフラッシュユニットが搭載された携帯電子機器を提供することを目的とする。
【課題を解決するための手段】
【０００６】
上記目的を達成するため、本発明は、発光装置と当該発光装置の前方に配置される透光板とを備えるフラッシュユニットが筐体内に搭載された携帯電子機器において、前記透光板から前記発光装置を見て当該発光装置を囲繞する遮蔽部が前記透光板と前記発光装置との間に設けられていることを特徴とする。
本発明では、透光板と発光装置との間に発光装置を囲繞する遮蔽部を設けているので、発光装置から照射される照射光が筐体内で側方に漏れることがない。
【０００７】
また、本発明では、前記遮蔽部は前記筐体と一体的に形成されていてもよい。
本発明では、遮蔽部と筐体とを一体的に形成することにより、製造工程を短縮することが可能となる。
【０００８】
また、本発明では、前記遮蔽部の内方に前記発光装置を囲繞する反射部が設けられていることが望ましい。
本発明では、遮蔽部の内方に発光装置を囲繞する反射部を設けることにより、透光板と発光装置との間において側方に漏れる照射光が反射部で反射されて透光板を透過する。即ち、反射部で照射光を集光するので、光のロスが無くなり被写体の照度を上げることができる。
【０００９】
また、本発明では、前記反射部は前記遮蔽部の内周面に嵌合する別部材とされていてもよい。
【００１０】
また、本発明では、前記反射部が柔軟な素材で形成されていることを好適とする。
本発明では、反射部を柔軟な素材で形成することにより、遮蔽部の内周面に反射部を容易に嵌合することができる。
【００１１】
また、本発明では、前記反射部が円筒状とされていることが望ましい。
本発明では、反射部を円筒状とすることにより、集光効率を高めることができる。
【００１２】
また、本発明では、前記発光装置をＬＥＤとしてもよい。
本発明では、発光装置をＬＥＤとすることにより、照射光の指向性を高めることができる。
【発明の効果】
【００１３】
本発明では、透光板と発光装置との間に発光装置を囲繞する遮蔽部を設け、さらに遮蔽部の内方に発光装置を囲繞する反射部を設けることにより、発光装置から照射される光のロスが無くなり、透光板を透過する照射光を広く拡散させて十分な照射範囲を確保することができる。
【発明を実施するための最良の形態】
【００１４】
以下、本発明に係る携帯電子機器の実施形態について図面に基づいて説明する。
本発明に係る携帯電子機器の一実施形態である折畳み式の携帯電話機について、開いた状態を正面から見た概略斜視図を図１に、折畳まれた本携帯電話機を第二の筐体の背面側から見た概略平面図を図２にそれぞれ示す。
携帯電話機（携帯電子機器）１は、通話キー、終話キー等の各種押圧可能な操作キー５…を有するキー操作部６および通話用のマイクロフォン１２が設けられた第一の筐体２と、二つの表示部７ ，８および通話用のスピーカー１４に加えてカメラ９およびフラッシュユニット１０が設けられた第二 の筐体３とから構成されており 、これら二つ の筐体２， ３は、それぞれ長手方向の一端部に設けられた ヒンジ部４によって 折畳み自在に連結されている 。また、第一 の筐体２には、 基地局と無線通信を行うためのアンテナ１１が備えられている。
【００１５】
二つ の表示部７ ，８は液晶ディスプレイ（ ＬＣＤ）とされ、第一の表示部７は第二 の筐体３の正面部３ｈの大部分を占め、第二の表示部８は第二 の筐体３の背面部３ｔに装着された装飾板１３の中央に配置されている。また、装飾板１３の中央には、第二の表示部８に隣接してカメラ９およびフラッシュユニット１０が並設されており、第一の表示部７上で被写体を確認しながら、カメラ９およびフラッシュユニット１０を用いて被写体を撮像することができる。
【００１６】
図３は、フラッシュユニット１０の断面を示したものである。
回路基板２４上に発光装置となるＬＥＤ２０が固定されており、ＬＥＤ２０の前方（図３では上方）には、ＬＥＤ２０が発する照射光を出射するための開口部３ａ，１３ａが第二の筐体３および装飾板１３にそれぞれ設けられている。この際、装飾板１３に設けられる開口部１３ａの幅はＬＥＤ２０の照射角Ｄに依存し、ここでは照射角ＤがＬＥＤ２０単体の指向特性である３８度となるように設定されている。
【００１７】
第二の筐体３に設けられた開口部３ａには、その周縁部に沿ってＬＥＤ２０を囲繞する筒状の遮蔽部２３が第二の筐体３と一体的に形成されている。そして、遮蔽部２３の内周面に形成された突条部２３ａと装飾板１３との間に透光板２１が配置されている。透光板２１は半透明になっており、透光板２１を通してフラッシュユニット１０の内部が見えないようになっている。
【００１８】
また、遮蔽部２３の内方には、外径４．７ｍｍ、長さ２．５ｍｍ、厚さ０．２ｍｍ程度の円筒状の鏡筒（反射部）２２が突条部２３ａとＬＥＤ２０との間に設置されている。鏡筒２２はエラストマ樹脂やＰＥＴ（ポリエチレンテレフタレート）樹脂など柔軟な素材を用いて形成されており、鏡筒２２の内周面にはアルミ２２ａが蒸着されている。
なお、鏡筒２２は遮蔽部２３の内周面に嵌合させるようにしてもよい。
【００１９】
本携帯電話機１では、透光板２１とＬＥＤ２０との間にＬＥＤ２０を囲繞する遮蔽部２３を設け、さらに遮蔽部２３の内方に鏡筒２２を設けることにより、透光板２１とＬＥＤ２０との間において側方に漏れる照射光が鏡筒２２内で反射されて透光板２１を透過する。
【００２０】
次に、本フラッシュユニット１０の効果を検証するために行った照度試験について説明する。
図４および図５は、本フラッシュユニット１０に関する照度試験の結果を示したものであり、図４は遮蔽部２３内に鏡筒２２が無い場合、図５は遮蔽部２３内に鏡筒２２がある場合それぞれにおける被写体の照度を示している。なお、図（ａ）の縦軸が照度、図（ｂ）中の破線Ｒは撮像範囲を示している。
本試験は、本携帯電話機１の撮影モードをノーマルモード、壁紙サイズ、ナイトモードＯＮに設定した状態で、暗室にて被写体との距離を４５ｃｍとして実施された。その結果、遮蔽部２３内に鏡筒２２が無い場合の中心照度は５．２０ｌｘで照射範囲は撮像範囲Ｒぎりぎりであるのに対し、遮蔽部２３内に鏡筒２２がある場合は、中心照度が６．１４ｌｘとなり、遮蔽部２３内に鏡筒２２が無い場合に比べて照射範囲も大幅に拡大していることがわかる。即ち、透光板２１を透過する照射光が広く拡散され、十分な照射範囲が確保されている。
【００２１】
以上、本発明に係る携帯電子機器の実施形態について説明したが、本発明は上記の実施形態に限定されるものではなく、その趣旨を逸脱しない範囲で適宜変更可能である。例えば、上記の実施形態では、鏡筒を円筒状としたが、角柱状など他の形状としてもよい。また、携帯電話機は折畳み式に限定する必要はなく、一つの筐体から構成される携帯電話機であってもよい。さらに言えば、携帯電話機に限らず、デジタルカメラなど他の携帯電子機器に適用しても構わない。
【図面の簡単な説明】
【００２２】
【図１】本発明に係る携帯電子機器の一実施形態である折畳み式の携帯電話機について、開いた状態を正面から見た概略斜視図である。
【図２】図１の携帯電話機について、折畳んだ状態を第二の筐体の背面側から見た概略平面図である。
【図３】フラッシュユニットの断面図である。
【図４】遮蔽部内に鏡筒が無い場合の照度試験結果を示し、（ａ）はその三次元等高線図、（ｂ）は三次元等高線図を上から見た図である。
【図５】遮蔽部内に鏡筒がある場合の照度試験結果を示し、（ａ）はその三次元等高線図、（ｂ）は三次元等高線図を上から見た図である。
【符号の説明】
【００２３】
１  携帯電話機（携帯電子機器）
２  第一の筐体
３  第二の筐体
４  ヒンジ部
５  操作キー
６  キー操作部
７  第一の表示部
８  第二の表示部
９  カメラ
１０  フラッシュユニット
１１  アンテナ
１２  マイクロフォン
１３  装飾板
１４  スピーカー
２０  ＬＥＤ（発光装置）
２１  透光板
２２  鏡筒（反射部）
２２ａ  アルミ
２３  遮蔽部
２４  回路基板
Ｒ  撮像範囲
【図１】
2007140114.tif 000003
【図２】
2007140114.tif 000004
【図３】
2007140114.tif 000005
【図４】
2007140114.tif 000006
【図５】
2007140114.tif 000007